(57)【要約】      （修正有）【課題】瞬間に温度を上昇させることができる電気エネルギー加熱器の提供。【解決手段】内部タンクを設け、内部タンクの頂上に上部蓋が連結されている。１枚以上のセラミック発熱シートが上部蓋を経由して長さを設定し、内部タンクの内部に挿入している。冷水入水パイプは片側から、外から中へ内部タンクに伸びている。そして、熱湯排出パイプは他側から、中から外へ伸びている。前述の１枚以上のセラミックシートは間隔を置いて幾何の形で設置され、それぞれのセラミック発熱シートは隙間の欠け口（間隙缺口部）を含めている。それぞれのセラミック発熱シートは内部タンク内の底端に挿入されて内部タンクの底端と距離を置いてある。内部タンク内に挿入している冷水入水パイプ内の延長部分は１枚以上のセラミック発熱シートの間に設けられ、底端を下方へ伸ばしてセラミック発熱シートの底端を越えさせる。【選択図】図１
0003132102.tif 000002
【実用新案登録請求の範囲】
【請求項１】
長円形の内部タンクが設けられ、その内部タンクの頂上に上部蓋があり、少なくとも１枚以上のセラミック発熱シートが上部蓋を経由して下へ内部タンク内に挿入し、冷水入水パイプが片側から、外から中へ内部タンクに伸び、熱湯排出パイプが他側から、中から外へ伸び、前述の１枚以上のセラミック発熱シートは間隔を置いて幾何の形に設置され、それぞれのセラミック発熱シートは隙間の欠け口があり、各セラミック発熱シートの部分の長さは電気エネルギー加熱器の頂上から外へ露出し、電源導線の接続に供され、前述のセラミック発熱シートは内部タンク内の底端に挿入され、距離が置かれ、片側から、外から中へ伸びている内部タンク内の冷水入水パイプ内部の延びる部分は述べられた１枚以上のセラミック発熱シートの間に設けられ、その底端の下へ伸びてその１枚以上のセラミック発熱シートの底端を越え、そして、底部に近いところに多数の噴水穴が設けられていることを特徴とする電気エネルギー加熱器。
【請求項２】
前記上部蓋はベークライト類の耐熱絶縁材料で作られ、セラミック発熱シートに連結して固定し、その上部蓋は上下金属パッキンで耐熱密封スペーサーを挟んで内部タンク内の頂上に固定していることを特徴とする請求項１記載の電気エネルギー加熱器。
【請求項３】
前記内部タンクには凹み部が設けられ、下金属パッキンのストッパーとして使われることを特徴とする請求項２記載の電気エネルギー加熱器。
【請求項４】
前記セラミック発熱シートはナノ超伝導浸水式のセラミック発熱シートであることを特徴とする請求項１記載の電気エネルギー加熱器。
【請求項５】
前記セラミック発熱シートは３枚で間隔を置いて三角形に設置されていることを特徴とする請求項１記載の電気エネルギー加熱器。
【請求項６】
前記セラミック発熱シートは４枚で間隔を置いて方形に設置されていることを特徴とする請求項１記載の電気エネルギー加熱器。
【請求項７】
前記セラミック発熱シートは２枚で間隔を置いて円弧状に設置されていることを特徴とする請求項１記載の電気エネルギー加熱器。
【請求項８】
前記セラミック発熱シートは３枚で間隔を置いて囲んで円弧状に設置されていることを特徴とする請求項１記載の電気エネルギー加熱器。
【考案の詳細な説明】
【技術分野】
【０００１】
本考案は流体電気加熱器であり、特に熱水器、熱水装置のような設備に利用される流体電気エネルギー加熱器を指している。水温の加熱を平均的に安定させて高効率と節電などの特点をもっている。
【背景技術】
【０００２】
周知の熱水器、熱水装置のような設備では、内部に設置された電熱棒やパイプ型の加熱装置で設備内に注がれた冷水を加熱するのは一般のやり方である。電熱棒やパイプ型の加熱装置のような設備は一般に、本体が通電されて時間を経ってから熱エネルギーを発生して冷水の加熱をするようになっている。
【０００３】
ただし、周知の電熱棒やパイプ型の加熱装置のような設備を熱水器、熱水装置などの設備に設けるとき、その構造は複雑で、コストも高い。しかも、その通電磁の温度上昇は遅くて、電気が消耗したり、効率が低かったりなどの欠点がある。
【考案の開示】
【考案が解決しようとする課題】
【０００４】
本考案の主要目的は、一種の流体電気エネルギー加熱器を提供することにある。その電気エネルギーの加熱は瞬間に温度を上昇させることができ、水温の加熱が平均的に安定できるため、高効率と節電などの特点をも持っている。また、その構造は簡単化されたので、組み立てや点検にも適用している。
【０００５】
以上の目的を実現するには、本考案は長円形の内部タンクが設けられた。内部タンクの頂上に上部蓋が連結しており、一枚以上のセラミック発熱シートが上部蓋を経由して下へ内部タンク内に挿入している。冷水入水パイプは片側から、外から中へ内部タンク内に伸びている。熱湯排出パイプは他側から、中から外へ伸びている。前述にある一枚以上のセラミック発熱シートは間隔を置いて幾何の形で設置され、それぞれのセラミック発熱シートは隙間の欠け口を含めている。それぞれのセラミック発熱シートの部分の長さは電気エネルギー加熱器の頂上から外部へ露出し、電源導線の接続に使われる。各セラミック発熱シートは内部タンク内の底端に挿入され、内部タンクの低端と距離を置いてある。片側から、外から中へ伸びている内部タンク内の冷水入水パイプの中へ延びる部分は、前述にある一枚以上のセラミック発熱シートの間に設けられている。その底端は下へ伸びてセラミック発熱シートの底端を超えている。そして、底端にに近いところに多数の噴水穴が設けられている。
【０００６】
前述の上部蓋はベークライト類の耐熱絶縁材料によって製造され、前述のセラミック発熱シートに連結して固定している。上部蓋は上下金属パッキンで耐熱密封スペーサーを挟んで内部タンク内の上部に固定している。
【０００７】
前述の内部タンクには凹み部があり、下部の金属パッキンとして定位構造を止めさせている。
【０００８】
前述のセラミック発熱シートはナノ超伝導浸水式のものが好ましい。
【０００９】
実行できる実施例では、前述のセラミック発熱シートは３枚であり、間隔を置いて三角形に設置されている。
【００１０】
別の実行できる実施例では、前述のセラミック発熱シートは４枚であり、間隔を置いて方形に設置されている。
【００１１】
もう一つの実行できる実施例では、前述のセラミック発熱シートは２枚であり、間隔を置いて円弧状に設置されている。
【００１２】
最後の一つの実行できる実施例では、前述のセラミック発熱シートは３枚や三枚以上であり、間隔を置いて囲んで円弧状に設置されている。
【課題を解決するための手段】
【００１３】
請求項１の考案は、長円形の内部タンクが設けられ、その内部タンクの頂上に上部蓋があり、少なくとも１枚以上のセラミック発熱シートが上部蓋を経由して下へ内部タンク内に挿入し、冷水入水パイプが片側から、外から中へ内部タンクに伸び、熱湯排出パイプが他側から、中から外へ伸び、前述の１枚以上のセラミック発熱シートは間隔を置いて幾何の形に設置され、それぞれのセラミック発熱シートは隙間の欠け口があり、各セラミック発熱シートの部分の長さは電気エネルギー加熱器の頂上から外へ露出し、電源導線の接続に供され、前述のセラミック発熱シートは内部タンク内の底端に挿入され、距離が置かれ、片側から、外から中へ伸びている内部タンク内の冷水入水パイプ内部の延びる部分は述べられた１枚以上のセラミック発熱シートの間に設けられ、その底端の下へ伸びてその１枚以上のセラミック発熱シートの底端を越え、そして、底部に近いところに多数の噴水穴が設けられていることを特徴とする電気エネルギー加熱器としている。
請求項２の考案は、前記上部蓋はベークライト類の耐熱絶縁材料で作られ、セラミック発熱シートに連結して固定し、その上部蓋は上下金属パッキンで耐熱密封スペーサーを挟んで内部タンク内の頂上に固定していることを特徴とする請求項１記載の電気エネルギー加熱器としている。
請求項３の考案は、前記内部タンクには凹み部が設けられ、下金属パッキンのストッパーとして使われることを特徴とする請求項２記載の電気エネルギー加熱器としている。
請求項４の考案は、前記セラミック発熱シートはナノ超伝導浸水式のセラミック発熱シートであることを特徴とする請求項１記載の電気エネルギー加熱器としている。
請求項５の考案は、前記セラミック発熱シートは３枚で間隔を置いて三角形に設置されていることを特徴とする請求項１記載の電気エネルギー加熱器としている。
請求項６の考案は、前記セラミック発熱シートは４枚で間隔を置いて方形に設置されていることを特徴とする請求項１記載の電気エネルギー加熱器としている。
請求項７の考案は、前記セラミック発熱シートは２枚で間隔を置いて円弧状に設置されていることを特徴とする請求項１記載の電気エネルギー加熱器としている。
請求項８の考案は、前記セラミック発熱シートは３枚で間隔を置いて囲んで円弧状に設置されていることを特徴とする請求項１記載の電気エネルギー加熱器としている。
【考案の効果】
【００１４】
本考案の電気エネルギー加熱器は、その電気エネルギーの加熱は瞬間に温度を上昇させることができ、水温の加熱が平均的に安定できるため、高効率と節電などの特点をも持っている。また、その構造は簡単化されたので、組み立てや点検にも適用している。
【考案を実施するための最良の形態】
【００１５】
まず、図１〜図３を参照してください。図式内の好ましい実施例では、本考案に設けられた内部タンク（１０）は隙間なしのステンレスの材質であり、直径と長さが設定通りに作られたものであるのは好ましい。前述の長円形内部タンク（１０）の頂上に、関連構造にあわせて連結された上部蓋（２０）がある。最低一枚やそれ以上のセラミック発熱シート（３０）、（３１）、（３２）は、第１及び４〜７図に示されている実施例において、三枚で間隔を置いて三角形に設置されている。上部蓋（２０）を経由して設定通りの長さで内部タンク（１０）内に挿入されている。冷水入水パイプ（４０）は片側から、外から中へ内部タンク（１０）内に伸びており、熱湯排出パイプ（５０）は他側から、中から外へ伸びている。
【００１６】
前述の内部タンク（１０）は上部に近い外部周縁に溶接でフランジ（１１）をつけ、上部蓋（２０）を組み立てる。図式の実行できる実施例では、上部蓋（２０）は対応する周縁部（２１）が設けられ、前述のフランジ（１１）を周縁部（２１）と重ねさせる。そして、ボルト（２２）とナット（１２）であらかじめ対応して設けられた通し穴を通して両者を連結させる。
【００１７】
図１〜図３と図８を参照すること。上部蓋（２０）はベークライト類の耐熱絶縁材料で作られ、射出成形の同時に前述のセラミック発熱シート（３０）、（３１）、（３２）を固定させる。そして、それらを上下金属パッキン（２５）、（２６）をあわせて耐熱密封スペーサー（２７）を挟んで内部タンク（１０）内の頂上に固定させる（図３、図８参照）。この組み立て構造は耐熱密封スペーサー（２７）を内部タンク（１０）の内壁周縁に、そして、多数のセラミック発熱シート（３０）、（３１）、（３２）及び冷水入水パイプ（４０）の外部周縁に密着させることができる。図式の実行可能の実施例では、前述の内部タンク（１０）周縁に多数の凹み部（１３）があらかじめ設けられ、下金属パッキン（２６）のストッパーとして使われる。同時に、電気エネルギー加熱器セット全体の組み立てに利用しやすいために、上部蓋（２０）は外部頂上に通し穴（２４）が設けられた固定部（２３）が設けられている。
【００１８】
前述の実施例では、多数のセラミック発熱シート（３０）、（３１）、（３２）は三枚で間隔を置いて三角形に設置されている。それぞれのセラミック発熱シート（３０）、（３１）、（３２）は全部とも隙間の欠け口（３４）を含めている（図５、図６参照）。各セラミック発熱シート（３０）、（３１）、（３２）は全部とも部分の長さを上部蓋（２０）の頂上から外へ露出し、電源導線（３３）の接続に使われる（図１参照）。前述のセラミック発熱シート（３０）、（３１）、（３２）は内部タンク（１０）内の低端に挿入され、内部タンク（１０）内の底と距離を置いてある（図２、図３参照）。本考案のよりよい実施例では、前述のセラミック発熱シート（３０）、（３１）、（３２）はナノ超伝導進水式のセラミック発熱シートである。
【００１９】
前述にある片側から、外から中へ伸びている内部タンク（１０）内の冷水入水パイプ（４０）内の延びる部分は多数のセラミック発熱シート（３０）、（３１）、（３２）の間に伸びて設置され、その低端が下へ前述のセラミック発熱シート（３０）、（３１）、（３２）を越えることが望ましい。その底部に近いところに多数の噴水穴（４１）、（４２）、（４３）を設けることもできる。噴水穴（４１）、（４２）、（４３）はセラミック発熱シート（３０）、（３１）、（３２）の隙間の欠け口（３４）に向けて設置されることが望ましい（第５、６図参照）。前述の熱湯排出パイプ（５０）はの排出口は内部タンク（１０）内の上部部分に近く設置してもよい。
【００２０】
ここでは、図６、図７を参照してください。本考案は冷水入水パイプ（４０）から冷水を注入した後、底部にある噴水穴（４１）、（４２）、（４３）から噴出するようにし、そして、各隙間の欠け口（３４）から、下から上へ渦巻かして流動させ、多数のセラミック発熱シート（３０）、（３１）、（３２）で急速に加熱させる。このような加熱法とナノ超伝導浸水式のセラミック発熱シートは直ちに電気エネルギーを高熱エネルギーに変えることができる。しかも、前述の多数のセラミック発熱シート（３０）、（３１）、（３２）は、冷水入水パイプ（４０）に対して予熱することができ、水温の加熱を平均に安定させることができるし、高効率と節電の性能をも持っている。同時に、電気エネルギー加熱器の構造は大変簡単であり、複数の加熱器と内部タンクのセットで連結して使用することもできる。
【００２１】
図９は本考案のもう一つの実施例である。なかでは、４枚、またはそれ以上のセラミック発熱シート（３０１）で間隔を置いて方形に設置している。同様に、冷水入水パイプ（４０１）と噴水穴（４１１）もある。図１０にもまた一つの実施例がある。それにおいては、２枚のセラミック発熱シート（３０２）で間隔を置いて円弧状に設置している。同様にも、冷水入水パイプ（４０２）と噴水穴（４１２）を含めている。また、図１１の実施例では、３枚やそれ以上のセラミック発熱シート（３０３）で間隔をおいて囲んで円弧状に設置している。
【００２２】
図１２では、上部蓋は３枚のカバー部品（２０１）、（２０２）、（２０３）をあわせることによって構成され、セラミック発熱シート（３０）、（３１）、（３２）に連結して固定している。
【図面の簡単な説明】
【００２３】
【図１】本考案に好ましい実施例の立体図である。
【図２】図１の断面図である。
【図３】図１を別の角度から見た断面図である。
【図４】図１の平面図である。
【図５】図２の上部断面図である。
【図６】図２の下部断面図である。
【図７】図６の動作流れの表示図である。
【図８】図２の上部の拡大断面図である。
【図９】本考案のもう一つの実施例における横断面図である。
【図１０】本考案の別の実施例における横断面図である。
【図１１】本考案のまた一つの実施例における横断面図である。
【図１２】図４のような上部蓋の別の実施例図である。
【符号の説明】
【００２４】
１０  内部タンク
１１  フランジ
１２  ナット
１３  凹み部
２０  上部蓋
２１  周縁部
２２  ボルト
２３  固定部
２４  通し穴
２５  上金属パッキン
２６  下金属パッキン
２７  耐熱密封スペーサー
３０、３１、３２  セラミック発熱シート
３３  導線
３４  隙間の欠け口
４０  冷水入水パイプ
４１、４２、４３  噴水穴
５０  熱湯排出パイプ
２０１、２０２、２０３  カバー部品
３０１、３０２、３０３  セラミック発熱シート
４０１、４０２、４０３  冷水入水パイプ
４１１、４１２  噴水穴
【図１】
0003132102.tif 000003
【図２】
0003132102.tif 000004
【図３】
0003132102.tif 000005
【図４】
0003132102.tif 000006
【図５】
0003132102.tif 000007
【図６】
0003132102.tif 000008
【図７】
0003132102.tif 000009
【図８】
0003132102.tif 000010
【図９】
0003132102.tif 000011
【図１０】
0003132102.tif 000012
【図１１】
0003132102.tif 000013
【図１２】
0003132102.tif 000014